【事件の表示】
　特許第２７８３５３９号「カラー受像管」の特許に対する特許異議の申立てについて、次のとおり決定する。
【結論】
　訂正を認める。
　特許第２７８３５３９号の特許を維持する。
【理由】
１．手続の経緯
　本件特許第２７８３５３９号発明は、昭和６２年７月１３日に特許出願され、平成１０年５月２２日に特許の設定登録がなされ、その後、松下電器産業株式会社より特許異議の申立てがなされ、取消理由通知がなされ、その指定期間内である平成１１年８月１２日に訂正請求がなされたものである。
２．訂正の適否についての判断
　（１）訂正明細書の特許発明
　訂正明細書の特許発明の要旨は、その特許請求の範囲の請求項１に記載された次の事項により特定されるとおりのものでる。
　「（１）実質的に矩形状の有効曲面を有するパネルと、このパネルの内面に形成される蛍光スクリーンと、電子ビームを通過させる多数の透孔が形成された有効曲面をもつ曲面状シャドウマスクを具備するカラー受像管において、前記パネル内面の有効曲面とＹ軸（短軸）との交線におけるＹ軸方向曲率半径が画面中央より周辺で小さくなっていることを特徴とするカラー受像管。」
　（２）訂正事項
　訂正事項ａ．
　特許請求の範囲の請求項１−３において、もとの請求項１と２を合併し、もとの請求項２、３を削除し、「１．実質的に矩形状の有効曲面を有するパネルと、このパネルの内面に形成される蛍光スクリーンと、電子ビームを通過させる多数の透孔が形成された有効曲面をもつ曲面状シャドウマスクを具備するカラー受像管において、前記パネル内面の有効曲面とＹ軸（短軸）との交線におけるＹ軸方向率半径が画面中央より周辺で小さくなっていることを特徴とするカラー受像管。」と訂正する。
　これに伴い、明細書第８頁第１７行目記載の「パネルの矩形状の有効曲面」を「パネル内面の矩形状の有効曲面」と訂正し、また、明細書第１２頁第６行目記載の「パネル内面あるいは外面」を「パネルの内面」と訂正する。
　（３）訂正の目的の適否、新規事項の有無及び拡張・変更の存否
　上記訂正事項ａ．の特許請求の範囲の請求項１の訂正は、もとの請求項１の「パネル有効曲面とＹ軸（短軸）との交線におけるＹ軸方向曲率半径が画面中央より周辺で小さくなっている」との記載を、もとの請求項１、２を合併することにより、「パネル内面の有効曲面とＹ軸（短軸）との交線におけるＹ軸方向曲率半径が画面中央より周辺で小さくなっいる」と訂正するものであって、特許明細書に記載された事項の範囲内において、パネルの有効曲面をパネルの内面に限定したものといえるから、特許請求の範囲の減縮に該当するものであって、新規事項の追加に該当せず、また、実質上特許請求の範囲を拡張し、又は変更するものではない。
　また、明細書第８頁第１７行目記載の「パネルの矩形状の有効曲面」を「パネル内面の矩形状の有効曲面」と訂正し、明細書第１２頁第６行目記載の「パネル内面あるいは外面」を「パネルの内面」と訂正したのは、上記特許請求の範囲の訂正に伴って、特許請求の範囲の記載と発明の詳細な説明の記載との整合を図るため、明りょりでない記載の釈明を目的としてなされた訂正であって、新規事項の追加に該当せず、また、実質上特許請求の範囲を拡張し、又は変更するものではない。
　（独立特許要件）
　ア．引用刊行物
　訂正明細書の特許請求の範囲に記載された特許発明（以下、訂正明細書の特許発明という。）に対して、当審が通知した取消理由で引用した刊行物１（電子機械工業会標準規格ＪＰ７１０ＡＧ（１９８６年９月１７日申請、１９８６年１０月２１日決定）、以下、引用刊行物１という。）には、カラー受像管のフェースパネルの外面及び内面の形状に係る規格に関する事項が記載されており、その３／３頁には、ＪＰ７１０ＡＧの「点Ｐの座標及び高さＨ」として、ｘ＝０、ｙ＝０を中心として、ｙ＝０〜２００ｍｍ、ｘ＝０〜２６０ｍｍまでの点Ｐの座標とその高さＨが示されている。
　イ．対比・判断
　引用刊行物１の３／３頁のＪＰ７１０ＡＧの点Ｐの座標及び高さＨの表から、中心点付近と周辺付近で曲率半径を計算すると、中心点付近の３点、（ｙ，Ｈ）＝（０，０）、（１０，０．０４）、（２０，０．１５）では、曲率半径Ｒ＝１４２９ｍｍ、周辺付近の３点、（ｙ，Ｈ）＝（１６０，９．８８）、（１７０，１１．１６）、（１８０，０．１２．５２）では、曲率半径Ｒ＝１２８６ｍｍとなり、その限りにおいては、パネル内面の曲率半径は、中心付近の３点より周辺付近の３点で小さくなっている。
　しかしながら、それ以外の部分を含む全般的な曲率半径について検討すると、ｙ＝５０ｍｍの点以降（ここより周辺部）のほとんどの部分の曲率半径は、ほぼ１３００ｍｍとなるものであって、単一の曲率半径であることが理解できる。
　また、ｙ＝０〜５０ｍｍの部分の曲率半径について検討しても、ｙ＝１０ｍｍでは曲率半径は１２５０ｍｍ、ｙ＝２０ｍｍでは１３３３ｍｍ、ｙ＝３０ｍｍでは曲率半径は１２８６ｍｍとその数値はばらついており、一定の曲率の変化を示すものではない。
　さらに、逆に曲率半径を１３００ｍｍ（ｙ＝５０ｍｍの点以降の曲率半径に相当）と仮定して、中心から１０ｍｍずつ離れた各点の高さＨ（理論値）を計算すると、ＥＩＡＪの表の高さＨと一致するものものである。
　そうすると、引用刊行物１の３／３頁のＪＰ７１０ＡＧの点Ｐの座標及び高さＨの表は、全体としてパネル内面の曲率半径が単一（ほぼ１３００ｍｍ）のものを記載又は示唆するにすぎないものであって、訂正明細書の本件特許発明の構成要件である「カラー受像管のパネル内面の有効曲面とＹ軸（短軸）との交線におけるＹ軸方向曲率半径が画面中央より周辺で小さくなっている」ことを記載又は示唆するものとは認めることができない。
　そして、訂正明細書の特許発明は、上記構成要件によって、シャドウマスクの熱変形を抑制しつつ、簡単に歪の劣化を防止し、さらに反射像の異和感を解消することができるという格別な効果を奏するものと認める。
　したがって、訂正明細書の特許発明は、上記引用刊行物１に記載された発明に基づいて当業者が容易に発明をすることができたものとは認めることができない。
　（５）むすび
　以上のとおりであるから、上記訂正は特許法第１２０条の４第２項及び同条第３項において準用する特許法第１２６条２−４項の規定に適合するので、当該訂正を認める。
３．特許異議の申立てについて
　（本件発明）
　本件特許発明は、２．訂正の適否についての判断の（１）訂正明細書の特許発明の項に記載したとおりの、特許請求の範囲の請求項１に記載された事項により特定されるとおりのものである。
　（申立ての理由の概要）
　異議申立人松下電器産業株式会社は、本件特許発明は、甲第１号証に記載されたものに基づいて当業者が容易に発明をすることができたものであり、特許法第２９条第２項の規定に違反してされたものであるから、本件特許は同法第１１３条第２号の規定により取り消されるべきものである旨主張している。
　（対比・判断）
　甲第１号証（電子機械工業会標準規格ＪＰ７１０ＡＧ（１９８６年９月１７日申請、１９８６年１０月２１日決定））と本件特許発明との対比・判断は、上記２．訂正の適否についての判断の（４）独立特許要件のイ．対比・判断の項で示したとおりである。
　したがって、本件特許発明は、甲第１号証に記載された発明に基づいて当業者が容易に発明をすることができたものとは認めることができない。
　（むすび）
　以上のとおりであるから、特許異議申立ての理由及び証拠によっては、本件特許発明の特許を取り消すことはできない。
　また、他に本件特許発明の特許を取り消すべき理由を発見しない。
　よって、結論のとおり決定する。
【異議決定日】
平成１１年９月１６日（１９９９．９．１６）
【訂正の要旨】
　１．特許第２８００４４０号発明の特許請求の範囲の請求項１−３において、特許請求の範囲の減縮を目的として、もとの請求項１と２を合併し、もとの請求項２、３削除し、「１．実質的に矩形状の有効曲面を有するパネルと、このパネルの内面に形成される蛍光スクリーンと、電子ビームを通過させる多数の透孔が形成された有効曲面をもつ曲面状シャドウマスクを具備するカラー受像管において、前記パネル内面の有効曲面とＹ軸（短軸）との交線におけるＹ軸方向曲率半径が画面中央より周辺で小さくなっていることを特徴とするカラー受像管。」と訂正する。
　これに伴い、特許請求の範囲の記載と発明の詳細な説明の記載との整合を図るため、明りょうでない記載の釈明を目的として、明細書第８頁第１７行目記載の「パネルの矩形状の有効曲面」を「パネル内面の矩形状の有効曲面」と訂正し、また、明細書第１２頁第６行目の「パネルの内面あるいは外面」を「パネルの内面」と訂正する。
（５４）【発明の名称】
カラー受像管
（５７）【特許請求の範囲】
（１）実質的に矩形状の有効曲面を有するパネルと、このパネルの内面に形成される蛍光スクリーンと、電子ビームを通過させる多数の透孔が形成された有効曲面をもつ曲面状シャドウマスクを具備するカラー受像管において、前記パネル
内面の
【発明の詳細な説明】
〔発明の目的〕
（産業上の利用分野）
　本発明はシャドウマスク型カラー受像管に係り、特にパネルの曲面形状に関するものである。
（従来の技術）
　シャドウマスク型カラー受像管に用いられているシャドウマスクは色選別機能を有する重要な部材の一つである。即ち、多色に発光する蛍光体の塗り分けられた矩形状枠を有する曲面状のパネル内面に対して一定の間隔を置いて、規則的に配列された多数の開口の穿設された矩形状枠を有する有効曲面部からなるシャドウマスクが配置されている。そして管のネック部に配設された電子銃からの複数の電子ビームは、集束、加速され且つ偏向作用を受けて矩形状の領域を走査、シャドウマスクの透孔を通過することによって夫々対応する蛍光体を射突発光せしめてカラー映像を現出する。従って、シャドウマスクの透孔群と対応する蛍光体群との間にはいわゆるビームランディングを正確にするために特定の相対的位置関係が必要であり、受像管の動作中、常にこの相対関係を一定に保たねばならない。すなわち、シャドウマスクと蛍光面との間隔（ｑ値）が常に一定の許容範囲内になければならない。しかしながら、シャウドマスク型カラー受像管は、その動作原理から、シャドウマスクの透孔を通過する電子ビーム量は１／３以下であり、残りの電子ビームはシャドウマスクの非透孔部に射突する。射突した電子ビームは、熱エネルギーに変換されシャドウマスクを加熱、膨張させることになる。これをドーミング現象という。この結果、一般に鉄を主成分とする素材からなるシャドウマスクは、熱膨張によりシャドウマスクの位置が変化し、ｑ値が許容範囲外にまで変化するとビームランディング位置のずれにより色純度の劣化を生じることになる。このような、シャドウマスクの熱膨張によって生じるミスランディングの大きさは、画面上の画像パターン及びこのパターンの継続する時間によっても大きく異なる。
　このうち、シャドウマスクからこのシャドウマスクを支持する熱容量の大なるマスクフレームまで加熱されて生じるミスランディングは比較的長時間を要するが、特公昭４４−３５４７号公報に示されているように、マスクフレームに取り付けられたスプリング支持構体にバイメタルを介在させることにより補正する方法が有効である。しかしながら、比較的短時間に生じるミスランディング、たとえば局部的な高輝度表示による局部的ドーミングによるミスランディングについては大きな問題となる。
　短時間のうちに起こるミスランディングについて矩形の窓状のパターンを発生させる信号器を使用し、窓状パターンの形状や位置を変えてミスランディングの大きさを測定すると、第６図のように、スクリーン画面（６）のほぼ全面にわたって大電流ビームパターン（５）がある場合は比較的ミスランディングは小さい。しかしながら第７図に示すように、比較的細長い大電流ビームのラスターパターン（５）が画面（６）の輪郭の左右端からやや中央よりに偏在した場合に最も大きなミスランディングを生じる。この実験事実は次の理由から容易に理解できる。
　第１に、テレビジョン受像機は受像管の平均陽極電流がある一定値を超えないように設計されているので、第６図のように大きな窓状パターンではシャドウマスクの単位面積当りの電流が第７図の場合より小さく、従って温度上昇は小さい。
　第２に、パターンが画面の中央にある場合はシャドウマスクが熱変形してもミスランディングは生じ難いが、中央から左右端方向に移動するにつれてシャドウマスクの熱変形が画面上のミスランディングとして現われる度合が大きくなる。しかし、画面左右端の近くではシャドウマスクはマスクフレームに固定されているので変形そのものは小さくなる。従って、第７図に示すような位置にあるパターンの場合に最も大きなミスランディングを生じる。
　第８図は、第７図に示すようなパターン（５）のある場合のミスランディングの状態を説明する図である。すなわち、パネル（１２４）の内面側壁にスタッドピン（１２５）、スプリング支持構体（１３５）によりマスクフレーム（１３４）を介してシャドウマスク（１３６）が対向配置されている。今、低輝度、すなわち電子密度の小さな状態で動作している時のシャドウマスク（１３６）は位置（ａ１）にあり、透孔（１３７）を通る位置（ｃ１）の電子ビーム（１４２）は対応する蛍光体（１３０）に正しくランディングしている。この状態から第７図に示すような、局部的に高輝度なパターンを映出する時は、シャドウマスク（１３６）は局部的に加熱膨張されて位置（ａ２）に変位し、透孔（１３７）は位置（ｂ１）から（ｂ２）へ変位する結果、透孔（１３７）を通る電子ビーム（１４２）は位置（ｃ１）から（ｃ２）に変位して所定の蛍光体に正しくランディングしなくなる。
　（発明が解決しようとする問題点）
　ところで、以上のようなシャドウマスクの熱変形によるミスランディングを改良するために、シャドウマスク形状を次のようにする方法がある。
　第５図において、曲線（１５０）は、第４図のＹ−Ｚ軸に平行な任意の平面とシャドウマスクの有効曲面との光線（Ｙ２）のＸ−Ｚ軸平面上の頂点（Ｍ１）と長辺側有効端部における点（Ｎ１）または（Ｎ´１）とのＺ軸方向距離、換言すればシャドウマスクの短軸Ｙ軸に平行な断面の高さと、Ｘ軸との関係を示すものである。曲線（１５０）は、シャドウマスクのＹ軸に平行な断面の高さが、Ｙ軸上（Ｘ＝０）からＸ軸の有効端部Ｐに近づくに従って、最初は徐々に大きくなって中間点（Ｍ１）で最大となり、それから徐々に小さくなっている。Ｘ軸の有効端部（Ｐ）ではＹ軸上に比べるとやや大きくなっている。このような構造にした場合、Ｘ軸上の中間点（Ｍ１）でシャドウマスクのＹ軸に平行な断面の高さを最も大きくとることができるため、Ｙ軸方向の曲率が大きくなりこの中間領域におけるシャドウマスクの熱変形によるミスランディングを最も効率よく補正することができる。
　一方、このようにした場合、ｑ値を許容範囲内にするため、パネルも同様な形状にする必要がある。
　しかし、パネル内面を上記のようにしてＹ軸に平行な断面の高さをある程度大きくとろうとすると、第３図に示すＸ軸上の中間の点（Ｍ）とセンター（Ｏ）のＺ軸方向距離を小さくする必要がある。この際、点（Ｍ）と点（Ｎ）の中間点（Ｋ）とセンター（Ｏ）とのＺ軸方向距離が小さくなる。このため、点（Ｋ）付近では電子ビームがパネルに当たる位置が遠ざかって、第９図に示す歪（６１）が発生し、特にＹ軸上の落ちこみ（６２）が目だつようになる。
　また、パネル外面も上記のような形状にした場合、長辺側付近において、第１０図に示すように、Ｙ軸上の反射光（６３）に対して第３図のＮ−Ｎ´断面付近では曲率半径が小さくなるため、反射光（６４）の入射角α´及び反射角β´がＹ軸上の反射光（６３）の入射角α、反射角βに対して大きくなり、長辺に平行に物体を写した場合でも、第１１図に示すように、反射した像（６８）は滑らかでない凸になり異和感を与える。
〔発明の構成〕
（問題点を解決するための手段）
　本発明は、パネル
内面
（作用）
　本発明によれば、シャドウマスクの熱変形を抑制しつつ、かつ歪の劣化を防ぎ、また異和感をもたない反射像を与えることが可能となる。
（実施例）
　第１図乃至第４図は、本発明の一実施例を説明するものである。第２図においてカラー受像管（２０）はガラスの外囲器（２２）を有しており、この外囲器（２２）はほぼ矩形のパネル（２４）、ファンネル（２６）及びネック部（２８）からなっている。パネル（２４）の内面は、球面に湾曲した凹面となっており、この内面に３色の蛍光体ストライプが規別的に配列された蛍光スクリーン（３０）が設けられている。これら蛍光体ストライプは、赤、緑、青発光の各蛍光体を交互に順次配列してなる。通常、ストライプの方向は第３図に示す垂直方向すなわち短軸Ｙ軸方向である。このスクリーン（３０）に近接してシャドウマスク構体（３２）が取り付けられる。シャドウマスク構体（３２）は、矩形状のマスクフレーム（３４）と多数の透孔を設けた曲面状シャドウマスク（３６）とからなり、パネル（２４）のスカート部に埋め込まれたスタッドピン（２５）に弾性支持部材（３５）によって弾性的に保持される。透孔は、蛍光スクリーンのストライプに対応してＹ軸方向に沿うスリットで形成されたもので、第３図に示す破線の矩形領域（３３）内に形成され、この領域（３３）が画像映出の有効領域となる。
　ネック部（２８）にはインライン型電子銃（４０）が取り付けられており、３本の電子ビーム（４２）を発射し、シャドウマスク（３６）の透孔を通して蛍光スクリーン（３０）に射突させる。これら電子ビーム（４２）はファンネル（２６）外壁に取り付けた偏向ヨーク（４４）によって偏向されて、シャドウマスク（３６）及び蛍光スクリーン（３０）を走査する。シャドウマスク（３６）は、管軸すなわちスクリーン（３０）の中心でスクリーンに垂直な方向の中心軸をＺ軸とすると、このＸ軸がパネル中心０を垂直に通る位置に支持される。第３図及び第４図に示すように、矩形パネルに水平方向に長軸Ｘ軸を、垂直方向に短軸Ｙ軸をパネル中心０を基点として設定する。
　第１図は、本発明の実施例をさらに詳細に説明するもので、曲線（７２）は、本発明のパネルのＹ軸上の断面、点線（７１）は従来のパネルのＹ軸上の断面を示すものであり、点線（７１）は円弧である。一方、曲線（７２）は、センター付近（７３）の曲率半径が周辺部（７４）の曲率半径より大きく、全体的にさらに平坦になっている。この場合、中間部では、従来の単一の円弧（７１）と比較するとセンター（Ｏ）とのＺ軸方向距離の差が小さくなる。そして、シャドウマスクの熱変形を抑制するように、パネルのＹ軸に平行な断面の高さをＸ軸方向の中央と周辺の中間部で最大とした場合、上述のようにＹ軸上の形状と第３図のＮ−Ｎ´断面付近の形状をなめらかにつなげば、パネル内面では、第３図の中間点（Ｋ）付近と同様にＹ軸付近においても電子ビームがパネルに当たる位置が遠ざかる。そのため、歪においてＹ軸付近の落ちこみ、（６２）（第９図参照）はなくなり、歪は改善できる。
　一方、パネル外面の反射像においても、外面のＹ軸上付近の長辺側近傍におけるＹ軸方向曲率半径が小さくなるため、Ｙ軸上付近の反射光の入射角、反射角がＮ−Ｎ´断面付近の入射角、反射角に近づき、第１１図のような凸型の反射像は解消でき、ほぼ直線となる。従って、パネル外面のＹ軸上断面のＹ軸方向曲率半径をセンターを大きく、周辺部を小さくすることにより反射像の違和感はなくなる。
　このように、パネルの内
面の
〔発明の効果〕
　以上説明したように、本発明によればシャドウマスクの局部的な熱変形による色純度の劣化を抑制するようなパネル、シャドウマスクの形状にした場合でも、簡単に歪の劣化を防止し、さらに反射像の異和感を解消することができる。
【図面の簡単な説明】
　第１図は本発明によるパネルの短軸に沿う形状を示す断面図、第２図は本発明の一実施例の縦断面図、第３図はパネルの平面図、第４図は第３図のパネル形状を説明するもので有効領域の１／２平面を示す斜視図、第５図はシャドウマスクの短軸に平行な断面の高さをＸ軸に沿って示す曲線図、第６図はカラー受像管のスクリーン上の映出パターン例を示す略平面図、第７図はカラー受像管のスクリーン上の他の映出パターン例を示す略平面図、第８図は第７図のパターンを映出したときに生じるシャドウマスクの局部的熱変形を説明するための略図、第９図はスクリーン上の歪を示す略平面図、第１０図（ａ），（ｂ）はパネル外面の反射を説明する略図、第１１図はパネルの反射像を示す略平面図である。
（５）……映出パターン、（６）……スクリーン
（２２）……外囲器、（２４），（１２４）……パネル
（２６）……ファンネル、（２８）……ネック部
（３０）……蛍光スクリーン、（３２）……シャドウマスク構体
（３３）……パネルの有効領域、（３４），（１３４）……マスクフレーム
（３５），（１３５）……弾性部材、（３６），（１３６）……シャドウマスク
（４０）……電子銃、（４２）……電子ビーム
（６１）……歪、（６２）……歪の落ちこみ
（６３），（６４）……反射光、（６８）……反射像
（７１）……点線、（７２）……曲線
（７３）……センター付近、（７４）……周辺部